(57)【要約】      （修正有）【課題】オルゴールによる演奏とともに、視覚的にも楽しめるように缶本体を回転できるようにしたオルゴール缶を提供する。【解決手段】オルゴール１０と、上部に物品を収納する物品収納部及び下部にオルゴールを収納するオルゴール収納部をそれぞれ有し、これら収納部の間に仕切り板を備える円筒状の缶本体３と、缶本体のオルゴール収納部の開口を閉塞する下蓋４と、を有し、下蓋が缶本体との間において相対的に回転することで、オルゴール１０のゼンマイを巻き上げ可能に構成されている。【選択図】図１
0003226640.tif 000002
【実用新案登録請求の範囲】
【請求項１】
オルゴールと、
上部に物品を収納する物品収納部及び下部に前記オルゴールを収納するオルゴール収納部をそれぞれ有し、これら収納部の間に仕切り板を備える円筒状の缶本体と、
前記缶本体の前記オルゴール収納部の開口を閉塞する下蓋と、
を有し、
前記下蓋が前記缶本体との間において相対的に回転することで、前記オルゴールのゼンマイを巻き上げ可能なこと
を特徴とするオルゴール缶。
【請求項２】
前記オルゴールは、
前記ゼンマイの回転軸が前記仕切り板の中心に固定され、さらにドラム及び前記ドラムに弾かれる振動板を載置するフレームが前記下蓋に固定されること
を特徴とする請求項１に記載のオルゴール缶。
【請求項３】
前記オルゴールは、
前記ゼンマイの回転軸が前記下蓋の中心に固定され、さらにドラム及び前記ドラムに弾かれる振動板を載置するフレームが前記仕切り板に固定されること
を特徴とする請求項１に記載のオルゴール缶。
【請求項４】
前記缶本体の材質は、
アルミニウム、ブリキ又はスチールのいずれか一つ又はこれらの組み合わせからなること
を特徴とする請求項１〜３の何れか一項に記載のオルゴール缶。
【考案の詳細な説明】
【技術分野】
【０００１】
本考案は、オルゴールによる演奏とともに缶本体を回転できるようにしたオルゴール缶に関する。
【背景技術】
【０００２】
従来、オルゴールを備えた収納容器として、例えば、特許文献１に示されるようなものが開示されている。この特許文献１の収納容器は、デコレーションケーキを収納することでき、さらにデコレーションケーキを取り出した際には、パーティーにちなんだ曲がオルゴールによって演奏されるものである。
【先行技術文献】
【特許文献】
【０００３】
【特許文献１】実全平０４−０４０２９９号公報
【考案の概要】
【考案が解決しようとする課題】
【０００４】
しかしながら、特許文献１の収納容器は、オルゴールを楽しむ者は、オルゴールの演奏により聴覚的に楽しめるものの、収納容器を簡単に回転させるなどの動的な演出を行うことができないため、視覚的に楽しませることができないといった問題があった。
【０００５】
そこで、本考案の目的は、オルゴールを工夫して缶本体に取り付けることで、比較的、簡便な構成ながらも缶本体をオルゴールによる演奏とともに回転できるようにしたオルゴール缶を提供することである。
【課題を解決するための手段】
【０００６】
上記目的を達成するため、本考案のオルゴール缶は、オルゴールと、上部に物品を収納する物品収納部及び下部に前記オルゴールを収納するオルゴール収納部をそれぞれ有し、これら収納部の間に仕切り板を備える円筒状の缶本体と、前記缶本体の前記オルゴール収納部の開口を閉塞する下蓋と、を有し、前記下蓋が前記缶本体との間において相対的に回転することで、前記オルゴールのゼンマイを巻き上げ可能な構成としてある。
【図面の簡単な説明】
【０００７】
【図１】オルゴール缶の内部構造を示す部分断面図である。
【図２】オルゴール缶の外観を示す分解斜視図である。
【図３】（ａ）は缶本体と下蓋の配置関係を示す断面図であり、（ｂ）は缶本体と仕切り板の巻締部及び下蓋の段差部の拡大断面図である。
【図４】オルゴールの外観を示す斜視図である。
【図５】オルゴールの取り付け構成を示す分解斜視図である。
【考案を実施するための形態】
【０００８】
以下、図面を参照しながら、本考案の好ましい実施形態について説明する。また、図１〜図５は、オルゴール缶１に図柄が施されていないが、オルゴール缶１の表面に図柄を施すのが好ましい。この場合、種々の印刷やエンボス加工などによりオルゴール缶１の表面に図柄を施すことができる。ここで、上下方向とは、図１における上下方向であり、オルゴール缶１の下蓋４をテーブルなどの上に設置した状態の上下方向をいう。
【０００９】
図１は、本実施形態におけるオルゴール缶１の内部構造を示す部分断面図である。オルゴール缶１は、上蓋２と、缶本体３と、下蓋４を有し、物品を収納できる上下方向に長い円筒状の収納缶である。オルゴール缶１の内部には、オルゴール１０が収納されており、オルゴール１０が缶本体３の内部で演奏できるとともに、缶本体３が回転できる構成になっている。
具体的には、下蓋４を缶本体３に対して相対的に回転させると、缶本体３に収納されたオルゴール１０の駆動源となるゼンマイ（不図示）を巻き上げることができるため、オルゴール１０の演奏に合わせて缶本体３が回転できる構成になっている。その結果、オルゴール１０を楽しむ者は、オルゴール１０による演奏を聴覚で楽しめるとともに、缶本体３の回転に伴う外観の変化も視覚で楽しめることができる。
【００１０】
また、オルゴール缶１は、金属材料により形成されており、例えば、ブリキ、ティンフリースチール又はアルミニウムなどを用いることができ、十分な強度を有している。その上、このような金属材料を用いることで、内部に収納されているオルゴール１０による演奏の音量が共鳴・増幅されて、音の響きが長くなるため余韻を作りだすことができる。その結果、オルゴール１０による演奏の音質を向上することができる。
【００１１】
次に、図２を参照しながらオルゴール缶１を構成する部材について説明する。
上蓋２は、物品収納部３０の上部開口３０ａを覆い閉塞し、缶本体３と着脱可能に形成されている。上蓋２には、傾斜の緩やかな円錐形状をなす上蓋天部２０と、内径が缶本体３の外径とほぼ同一の大きさをなす上蓋胴部２１を有している。そのため、上蓋２は、上蓋胴部２１を缶本体３の上部に嵌め込むことにより、缶本体３の収納空間を密閉状態にすることができる。
なお、この上蓋２は、使用用途によっては用いない構成とすることもできる。
【００１２】
缶本体３は、物品を収納する物品収納部３０とオルゴール１０を収納するオルゴール収納部３１を有し、円筒状に形成されている。上部開口３０ａの外周には、縁に沿ってカール処理が施されており、強度を高めるとともに怪我の防止など安全性を考慮して形成されている。また、下部開口３１ａの外周の縁は、二重巻締めなどの巻締め加工によって仕切り板３５と巻締められ、巻締部３２が形成されている（図３（ｂ）参照）。したがって、缶本体３の内部の収納空間は、この巻締めされた仕切り板３５によって、物品収納部３０とオルゴール収納部３１の２つの区画に仕切られることになる。
【００１３】
物品収納部３０は、缶本体３の上部に位置し、上方が開放された状態で構成される収納空間であり、例えば、飴玉などのお菓子やアクセサリーなどを収納できる。
【００１４】
オルゴール収納部３１は、缶本体３の下部に位置し、下方が開放された状態で構成される収納空間であり、オルゴール１０を収納できる。
【００１５】
図３（ａ）は、缶本体３と下蓋４の配置関係を示す断面図であり、図３（ｂ）は缶本体３と仕切り板３５の巻締部３２及び下蓋４の段差部４０の拡大断面図である。
下蓋４は、オルゴール収納部３１の下部開口３１ａを閉塞する。この下蓋４には、缶本体３の外径より小径の下蓋天部４１と、缶本体３の外径とほぼ同一の外径である下蓋胴部４２を有しており、これら外径の違いにより段差部４０が形成されている。
【００１６】
この段差部４０を形成することで、缶本体３の内部に下蓋天部４１を挿入することができる。その結果、オルゴール収納部３１に収納されたオルゴール１０を外部から見えなくするとともに、缶本体３と下蓋４の接触面に隙間を作ることができるため、缶本体３に下蓋４を配置した状態で缶本体３を回転することができる。すなわち、缶本体３に下蓋天部４１が挿入された状態で、缶本体３を自在に回転できる遊嵌状態を作り出している。
【００１７】
したがって、オルゴール缶１は、下蓋４を缶本体３との間において相対的に反時計回りに回転させ、ゼンマイを巻き上げた後に、下蓋４をテーブル上に設置して、オルゴール缶１から手を離せば、ゼンマイが巻き戻されて、下蓋４より上方の缶本体３が時計回りに回転することになる。
【００１８】
ここで、図４を参照しながらオルゴール１０について説明する。
オルゴール１０は、駆動源となるゼンマイ（不図示）が内部に収納されているゼンマイ機構１１と、一端がゼンマイに固定され他端が取付板１３の中央に固定された回転軸１２と、回転させることでゼンマイを巻き上げ可能な取付板１３と、曲目の演奏に応じた突起１４０が表面に施された円柱状のドラム１４と、櫛の目のように分かれた多数の弁１５０を有している振動板１５と、これらを載置するフレーム１６などを備えて構成されている。また、取付板１３には、取付板１３を缶本体３に取り付けるための取付穴１００、フレーム１６には、フレーム１６を下蓋４に取り付けるための取付穴１１０がそれぞれ形成されている。
【００１９】
したがって、回転軸１２の先端にネジによって固定された取付板１３を矢印方向（反時計回り）に回転させれば、ゼンマイ機構１１に収納されているゼンマイにその回転が伝達されるため、ゼンマイを巻き上げることができる。一方、取付板１３をフリーな状態にすると、ゼンマイ機構１１を介してドラム１４が回転する。これにより、ドラム１４表面の突起１４０が振動板１５の弁１５０を弾いて、演奏が行われる構成となっている。
【００２０】
また、缶本体３の回転は、巻かれたゼンマイの戻りの回転力を利用しているため、オルゴール１０による演奏が行われる間、すなわちドラム１４が回転している間は、缶本体３も回転し、缶本体３の回転が止まると、オルゴール１０による演奏も停止することになる。
【００２１】
次に、このように構成されるオルゴール１０の取り付け構成について説明する。
図５は、上蓋２を取り外した状態のオルゴール１０の取り付け構成を示す分解斜視図である。オルゴール１０は、回転軸１２が缶本体３の仕切り板３５の中心に位置するように固定されている。そのため、三つの取付穴３１０は、仕切り板３５の中心を取り囲むように等間隔で形成されている。取付板１３は、この取付穴３１０を通して、仕切り板３５にネジ３００で固定される。
この結果、オルゴール１０の回転軸１２が、仕切り板３５の中心に位置するので、ゼンマイの巻き戻りの回転力がバランスよく安定して缶本体３に伝わることになるため、偏ることなく缶本体３を回転することができる。
【００２２】
さらに、下蓋４の下蓋天部４１にもオルゴール１０を固定するための三つの取付穴４１０が形成されており、フレーム１６が下蓋天部４１にネジ４００で固定される。
なお、取付穴３１０及び取付穴４１０の位置や個数などは、オルゴール１０の回転軸１２が仕切り板３５の中心に位置するように固定できれば良く、適宜変更できるものとする。
【００２３】
なお、ゼンマイの回転軸１２が仕切り板３５の中心となるように固定し、フレーム１６を下蓋４に取り付ける例を説明したが、これに限られず、ゼンマイの回転軸１２が下蓋４の中心となるように固定し、フレーム１６を仕切り板３５に取り付ける構成としても良い。
【００２４】
以上説明したように、本考案のオルゴール缶１によれば、缶本体３に物品を収納でき、しかも缶本体３に収納しているオルゴール１０による演奏とともに缶本体３を回転できる。そのため、オルゴール１０を楽しむ者は、聴覚だけでなく視覚でも楽しむことができる。また、缶本体３の回転は、オルゴール１０のドラム１４を回転させるゼンマイの巻き戻りの回転力を利用しているため、モータなどを用いる場合と比べて安価で簡易な構成となっている。
【００２５】
以上、本考案に好ましい実施形態について説明したが、上述した実施形態にのみ限定されるものではなく、本考案の範囲で種々の変更実施が可能である。
例えば、上述した実施形態では、オルゴール缶１の材質をブリキ、ティンフリースチール又はアルミニウムなどの金属材料を用いた例を説明したが、これに限られず、陶器、木材又はステンレスなどの何れか一つ、又はこれらの組み合わせたものであってもよい。
【符号の説明】
【００２６】
１  オルゴール缶
３  缶本体
４  下蓋
１０  オルゴール
１２  回転軸
１４  ドラム
１５  振動板
１６  フレーム
３０  物品収納部
３１  オルゴール収納部
３５  仕切り板
【図１】
0003226640.tif 000003
【図２】
0003226640.tif 000004
【図３】
0003226640.tif 000005
【図４】
0003226640.tif 000006
【図５】
0003226640.tif 000007